(57)【特許請求の範囲】
【請求項１】
熱源機にて加熱または冷却された熱媒体を蓄熱槽または熱交換器へ循環して供給可能に設けられた一次系と、
上記蓄熱槽、上記熱交換器にて加熱または冷却された冷温水を循環して空調負荷へ供給可能に設けられた二次系と、
昼間に蓄熱を利用して実施される空気調和に必要な蓄熱量を確保すべく前日の夜間から上記一次系を蓄熱運転させる制御装置と、を有する蓄熱式空気調和システムにおいて、
上記制御装置は、当該制御装置から熱源機への運転指令信号、上記制御装置から一次系の循環ポンプへの運転指令信号、上記熱源機から上記制御装置への熱源機インターロック信号、上記循環ポンプから上記制御装置へのポンプインターロック信号の少なくとも一つが検出されたことにより、熱源機の運転条件が満たされていると判定し、
上記一次系の蓄熱運転の開始から所定時間経過後又は経過毎における上記蓄熱槽内の冷温水の温度が、所定温度に到達しているか否かにより蓄熱運転の適否を判定し、この蓄熱運転が適切でない場合、上記熱源機の運転条件が満たされているにも拘わらず、蓄熱運転時間帯に故障予測警報を出力するよう構成されたことを特徴とする蓄熱式空気調和システム。
【請求項２】
上記制御装置は、昼間に蓄熱を利用して実施される暖房運転に必要な蓄熱量を確保すべく前日の夜間から実施する蓄熱運転の時間帯に、熱源機の運転条件が満たされているにも拘わらず、上記蓄熱運転の開始から所定時間Ｔ１経過後又は経過毎における蓄熱槽内の冷温水の温度が所定温度α以下である場合、この蓄熱運転が適切でないと判断して、この蓄熱運転時間帯に故障予測警報を出力するよう構成されたことを特徴とする請求項１に記載の蓄熱式空気調和システム。
【請求項３】
上記制御装置は、昼間に蓄熱を利用して実施される冷房運転に必要な蓄熱量を確保すべく前日の夜間から実施する蓄熱運転の時間帯に、熱源機の運転条件が満たされているにも拘わらず、上記蓄熱運転の開始から所定時間Ｔ２経過後又は経過毎における蓄熱槽内の冷温水の温度が所定温度β以上である場合、この蓄熱運転が適切でないと判断して、この蓄熱運転時間帯に故障予測警報を出力するよう構成されたことを特徴とする請求項１に記載の蓄熱式空気調和システム。
【請求項４】
上記制御装置は、蓄熱運転の時間帯に、熱源機の運転条件が満たされているにも拘わらず、蓄熱槽内の冷温水の温度が約０℃となってから所定時間Ｔ３経過後又は経過毎における冷温水の水位が規定水位Ｇ以下である場合、この蓄熱運転が適切でないと判断して、この蓄熱運転時間帯に故障予測警報を出力するよう構成されたことを特徴とする請求項３に記載の蓄熱式空気調和システム。
【請求項５】
熱源機にて加熱または冷却された熱媒体を蓄熱槽または熱交換器へ循環して供給可能に設けられた一次系と、
上記蓄熱槽、上記熱交換器にて加熱または冷却された冷温水を循環して空調負荷へ供給可能に設けられた二次系とを有し、
昼間に蓄熱を利用して実施される空気調和に必要な蓄熱量を確保すべく前日の夜間から上記一次系を蓄熱運転させる蓄熱式空気調和システムの運転方法において、
上記制御装置から熱源機への運転指令信号、上記制御装置から一次系の循環ポンプへの運転指令信号、上記熱源機から上記制御装置への熱源機インターロック信号、上記循環ポンプから上記制御装置へのポンプインターロック信号の少なくとも一つが検出されたことにより、熱源機の運転条件が満たされていると判定し、
上記一次系の蓄熱運転の開始から所定時間経過後又は経過毎における上記蓄熱槽内の冷温水の温度が、所定温度に到達しているか否かにより蓄熱運転の適否を判定し、この蓄熱運転が適切でない場合、上記熱源機の運転条件が満たされているにも拘わらず、蓄熱運転時間帯に故障予測警報を出力することを特徴とする蓄熱式空気調和システムの運転方法。
【請求項６】
昼間に蓄熱を利用して実施される暖房運転に必要な蓄熱量を確保すべく前日の夜間から実施する蓄熱運転の時間帯に、熱源機の運転条件が満たされているにも拘わらず、上記蓄熱運転の開始から所定時間Ｔ１経過後又は経過毎における蓄熱槽内の冷温水の温度が所定温度α以下である場合、この蓄熱運転が適切でないと判断して、この蓄熱運転時間帯に故障予測警報を出力することを特徴とする請求項５に記載の蓄熱式空気調和システムの運転方法。
【請求項７】
昼間に蓄熱を利用して実施される冷房運転に必要な蓄熱量を確保すべく前日の夜間から実施する蓄熱運転の時間帯に、熱源機の運転条件が満たされているにも拘わらず、上記蓄熱運転の開始から所定時間Ｔ２経過後又は経過毎における蓄熱槽内の冷温水の温度が所定温度β以上である場合、この蓄熱運転が適切でないと判断して、この蓄熱運転時間帯に故障予測警報を出力することを特徴とする請求項５に記載の蓄熱式空気調和システムの運転方法。
【請求項８】
蓄熱運転の時間帯に、熱源機の運転条件が満たされているにも拘わらず、蓄熱槽内の冷温水の温度が約０℃となってから所定時間Ｔ３経過後又は経過毎における冷温水の水位が規定水位Ｇ以下である場合、この蓄熱運転が適切でないと判断して、この蓄熱運転時間帯に故障予測警報を出力することを特徴とする請求項７に記載の蓄熱式空気調和システムの運転方法。
【発明の詳細な説明】
【０００１】
【発明の属する技術分野】
本発明は、夜間に蓄熱された蓄熱を利用して、翌日の昼間に空気調和を実施する蓄熱式空気調和システム及びその運転方法に関する。
【０００２】
【従来の技術】
夜間に、翌日の昼間の空調負荷を予測して蓄熱槽に蓄熱を行い、この蓄熱を利用して昼間の空調負荷の大部分を賄い、暖房または冷房運転を実施する蓄熱式空気調和システムが知られている。
【０００３】
このような蓄熱式空気調和システムでは、蓄熱槽に水温センサや水位センサを設置して、蓄熱槽内で氷が過剰に製氷されないよう、また、蓄熱槽から冷温水が漏洩しないよう考慮されている。
【０００４】
【発明が解決しようとする課題】
しかしながら、上述の蓄熱式空気調和システムでは、蓄熱運転時に、蓄熱槽内での蓄熱の状況については検出されず、蓄熱槽内で冷温水が目標の温度、水位になるまで蓄熱運転が継続される。従って、蓄熱運転時に、何らかの理由によって蓄熱槽内に充分な蓄熱がなされなかった場合には、蓄熱を利用する空気調和を実施した時点でなければ蓄熱が充分になされなかった事実を判断できない。
【０００５】
このため、空調負荷がピークとなる時に充分な空気調和を実施できない不具合が生ずる。また、この時点で空気調和システムを修理すると、少なくとも、この修理時間及び蓄熱所要時間分だけ空気調和を実施できない。
【０００６】
本発明の目的は、上述の事情を考慮してなされたものであり、昼間に蓄熱を利用して実施される空気調和の不具合を、前日の夜間から実施される蓄熱運転時間帯に予測して、上記不具合に迅速に対応できる蓄熱式空気調和システム及びその運転方法を提供することにある。
【０００７】
【課題を解決するための手段】
請求項１に記載の発明は、熱源機にて加熱または冷却された熱媒体を蓄熱槽または熱交換器へ循環して供給可能に設けられた一次系と、上記蓄熱槽、上記熱交換器にて加熱または冷却された冷温水を循環して空調負荷へ供給可能に設けられた二次系と、昼間に蓄熱を利用して実施される空気調和に必要な蓄熱量を確保すべく前日の夜間から上記一次系を蓄熱運転させる制御装置と、を有する蓄熱式空気調和システムにおいて、上記制御装置は、当該制御装置から熱源機への運転指令信号、上記制御装置から一次系の循環ポンプへの運転指令信号、上記熱源機から上記制御装置への熱源機インターロック信号、上記循環ポンプから上記制御装置へのポンプインターロック信号の少なくとも一つが検出されたことにより、熱源機の運転条件が満たされていると判定し、上記一次系の蓄熱運転の開始から所定時間経過後又は経過毎における上記蓄熱槽内の冷温水の温度が、所定温度に到達しているか否かにより蓄熱運転の適否を判定し、この蓄熱運転が適切でない場合、上記熱源機の運転条件が満たされているにも拘わらず、蓄熱運転時間帯に故障予測警報を出力するよう構成されたことを特徴とするものである。
【０００８】
請求項２に記載の発明は、請求項１に記載の発明において、上記制御装置は、昼間に蓄熱を利用して実施される暖房運転に必要な蓄熱量を確保すべく前日の夜間から実施する蓄熱運転の時間帯に、熱源機の運転条件が満たされているにも拘わらず、上記蓄熱運転の開始から所定時間Ｔ１経過後又は経過毎における蓄熱槽内の冷温水の温度が所定温度α以下である場合、この蓄熱運転が適切でないと判断して、この蓄熱運転時間帯に故障予測警報を出力するよう構成されたことを特徴とするものである。
【０００９】
請求項３に記載の発明は、請求項１に記載の発明において、上記制御装置は、昼間に蓄熱を利用して実施される冷房運転に必要な蓄熱量を確保すべく前日の夜間から実施する蓄熱運転の時間帯に、熱源機の運転条件が満たされているにも拘わらず、上記蓄熱運転の開始から所定時間Ｔ２経過後又は経過毎における蓄熱槽内の冷温水の温度が所定温度β以上である場合、この蓄熱運転が適切でないと判断して、この蓄熱運転時間帯に故障予測警報を出力するよう構成されたことを特徴とするものである。
【００１０】
請求項４に記載の発明は、請求項３に記載の発明において、上記制御装置は、蓄熱運転の時間帯に、熱源機の運転条件が満たされているにも拘わらず、蓄熱槽内の冷温水の温度が約０℃となってから所定時間Ｔ３経過後又は経過毎における冷温水の水位が規定水位Ｇ以下である場合、この蓄熱運転が適切でないと判断して、この蓄熱運転時間帯に故障予測警報を出力するよう構成されたことを特徴とするものである。
【００１２】
請求項５に記載の発明は、熱源機にて加熱または冷却された熱媒体を蓄熱槽または熱交換器へ循環して供給可能に設けられた一次系と、上記蓄熱槽、上記熱交換器にて加熱または冷却された冷温水を循環して空調負荷へ供給可能に設けられた二次系とを有し、昼間に蓄熱を利用して実施される空気調和に必要な蓄熱量を確保すべく前日の夜間から上記一次系を蓄熱運転させる蓄熱式空気調和システムの運転方法において、上記制御装置から熱源機への運転指令信号、上記制御装置から一次系の循環ポンプへの運転指令信号、上記熱源機から上記制御装置への熱源機インターロック信号、上記循環ポンプから上記制御装置へのポンプインターロック信号の少なくとも一つが検出されたことにより、熱源機の運転条件が満たされていると判定し、上記一次系の蓄熱運転の開始から所定時間経過後又は経過毎における上記蓄熱槽内の冷温水の温度が、所定温度に到達しているか否かにより蓄熱運転の適否を判定し、この蓄熱運転が適切でない場合、上記熱源機の運転条件が満たされているにも拘わらず、蓄熱運転時間帯に故障予測警報を出力することを特徴とするものである。
【００１３】
請求項６に記載の発明は、請求項５に記載の発明において、昼間に蓄熱を利用して実施される暖房運転に必要な蓄熱量を確保すべく前日の夜間から実施する蓄熱運転の時間帯に、熱源機の運転条件が満たされているにも拘わらず、上記蓄熱運転の開始から所定時間Ｔ１経過後又は経過毎における蓄熱槽内の冷温水の温度が所定温度α以下である場合、この蓄熱運転が適切でないと判断して、この蓄熱運転時間帯に故障予測警報を出力することを特徴とするものである。
【００１４】
請求項７に記載の発明は、請求項５に記載の発明において、昼間に蓄熱を利用して実施される冷房運転に必要な蓄熱量を確保すべく前日の夜間から実施する蓄熱運転の時間帯に、熱源機の運転条件が満たされているにも拘わらず、上記蓄熱運転の開始から所定時間Ｔ２経過後又は経過毎における蓄熱槽内の冷温水の温度が所定温度β以上である場合、この蓄熱運転が適切でないと判断して、この蓄熱運転時間帯に故障予測警報を出力することを特徴とするものである。
【００１５】
請求項８に記載の発明は、請求項７に記載の発明において、蓄熱運転の時間帯に、熱源機の運転条件が満たされているにも拘わらず、蓄熱槽内の冷温水の温度が約０℃となってから所定時間Ｔ３経過後又は経過毎における冷温水の水位が規定水位Ｇ以下である場合、この蓄熱運転が適切でないと判断して、この蓄熱運転時間帯に故障予測警報を出力することを特徴とするものである。
【００１７】
請求項１乃至８に記載の発明には、次の作用がある。
【００１８】
一次系の蓄熱運転の開始から所定時間経過後又は経過毎における蓄熱槽内の冷温水の温度が、所定温度に到達しているか否かにより蓄熱運転の適否を判定し、この蓄熱運転が適切でない場合、蓄熱運転時間帯に故障予測警報を出力するよう構成されたことから、昼間に実施する蓄熱を利用した空気調和の不具合を、前日の夜間からの蓄熱時間帯に蓄熱槽への蓄熱状況を検討することにより予測できるので、上記空気調和の不具合に迅速に対応でき、この蓄熱時間帯に空気調和システムを修理することによって、昼間に実施する蓄熱を利用した空気調和の不具合の発生を未然に回避できる。
【００１９】
【発明の実施の形態】
以下、本発明の実施の形態を、図面に基づき説明する。
【００２０】
図１は、本発明に係る空気調和システムの一実施の形態における冷媒回路等を示す回路図である。
【００２１】
この図１に示すように、蓄熱式空気調和システム２０は、一次系２１と、二次系２２と、これら一次系２１及び二次系２２を制御する制御装置２３とを有して構成され、一次系２１の蓄熱槽２４に夜間蓄熱された蓄熱を利用して、二次系２２の空調負荷２５に対し空気調和（暖房または冷房）を実施するものである。
【００２２】
一次系２１は、循環ポンプとしてのブラインポンプ２６、熱源機としてのヒートポンプチラー２７、第１ブライン電動弁２８及び蓄熱槽２４が順次接続され、更に、第１ブライン電動弁２８及び蓄熱槽２４に並列に、第２ブライン電動弁２９及びブライン・水熱交換器３０が配設されて構成される。
【００２３】
ブラインポンプ２６の動作により、熱媒体としてのブラインが一次系２１内を循環して流れ、この循環するブラインをヒートポンプチラー２７が加熱または冷却する。
【００２４】
第１ブライン電動弁２８の開操作時に、ヒートポンプチラー２７にて加熱または冷却されたブラインが蓄熱槽２４へ導かれ、この蓄熱槽２４内に充填された二次系２２の冷温水（後述）と上記ブラインとがこの蓄熱槽２４内で熱交換される。また、第２ブライン電動弁２９の開操作時に、ヒートポンプチラー２７にて加熱または冷却されたブラインがブライン・水熱交換器３０へ導かれ、このブライン・水熱交換器３０内で、ブラインと二次系２２の冷温水とが熱交換される。
【００２５】
上記二次系２２は、冷温水ポンプ３１、空調負荷２５、上記ブライン・水熱交換器３０、上記蓄熱槽２４及び三方電動弁３２が順次接続されて構成される。冷温水ポンプ３１の動作により、冷温水が二次系２２内を循環して流れる。
【００２６】
三方電動弁３２の開動作により、冷温水は蓄熱槽２４内を流れ、この蓄熱槽２４内でブラインと熱交換され、この熱交換された冷温水が空調負荷２５へ導かれる。この蓄熱槽２４内でのブラインと冷温水との熱交換は、冷房運転における解氷冷房運転時と暖房運転時に実施される。
【００２７】
また、三方電動弁３２の閉動作により、冷温水は蓄熱槽２４を迂回して空調負荷２５へ導かれ、この空調負荷２５へは、ブライン・水熱交換器３０にてブラインと熱交換された冷温水が導かれる。このブライン・水熱交換器３０内でのブラインと冷温水との熱交換は、冷房運転における追掛チラー冷房運転時に実施される。
【００２８】
蓄熱槽２４には、下部に水温センサ３３が、上部に水位センサ３４及び給水弁３５がそれぞれ設置される。水温センサ３３は、蓄熱槽２４内に充填された冷温水の温度を検出する。また、水位センサ３４は、蓄熱槽２４の水位を検出することによって、蓄熱槽２４内で冷温水から製氷された氷の量を検出する。給水弁３５は、蓄熱槽２４内への給水を制御する弁である。更に、蓄熱式空気調和システム２０には、外気温を検出する外気温センサ３６が設置されている。
【００２９】
水温センサ３３、水位センサ３４及び外気温センサ３６は前記制御装置２３に接続されて、それぞれの検出値を制御装置２３へ出力する。この制御装置２３は、一次系２１のブラインポンプ２６、ヒートポンプチラー２７、第１ブライン電動弁２８及び第２ブライン電動弁２９、並びに二次系２２の冷温水ポンプ３１、三方電動弁３２及び給水弁３５を制御して、蓄熱式空気調和システム２０に蓄熱運転、暖房運転、冷房運転をそれぞれ実行させる。
【００３０】
蓄熱運転は、蓄熱を利用して昼間に実施される空気調和（暖房または冷房）に必要な蓄熱量を一次系２１の蓄熱槽２４に蓄熱すべく、前日の夜間（晩を含む）から一次系２１を運転させることによって実行されるものであり、暖房運転のための蓄熱運転と、冷房運転のための蓄熱運転とがある。
【００３１】
暖房運転のための蓄熱運転は、例えば前日の１６：００〜当日の３：４５までの暖房運転と共に実行される予備蓄熱と、例えば当日の４：００〜７：００まで実行される本蓄熱とがある。また、例えば当日の３：４５〜４：００までは蓄熱準備が実行される。
【００３２】
これらの予備蓄熱及び本蓄熱では、制御装置２３は、ブラインポンプ２６及びヒートポンプチラー２７を起動させ、冷温水ポンプ３１を停止させ、第１ブライン電動弁２８を開操作し、第２ブライン電動弁２９を閉操作して、蓄熱槽２４内の冷温水を加熱する。
【００３３】
蓄熱槽２４内の冷温水は、予備蓄熱において約４０℃に加熱され、本蓄熱において約５０℃に加熱される。この蓄熱槽２４内の冷温水の温度は、水温センサ３３によって検出される。
【００３４】
また、蓄熱準備では、制御装置２３は、給水弁３５を制御して、蓄熱槽２４内の冷温水が基準水位になるまで蓄熱槽２４内に給水する。この基準水位まで貯溜された給水が、上記本蓄熱時に加熱される。
【００３５】
暖房運転は、例えば当日の８：００〜１６：００に実行される。この暖房運転時に制御装置２３は、第２ブライン電動弁２９を開操作し、第１ブライン電動弁２８を閉操作し、三方電動弁３２を開動作し、ブラインポンプ２６及び冷温水ポンプ３１を起動させ、ヒートポンプチラー２７を起動させる。これによって、蓄熱槽２４内の冷温水温度を、この蓄熱槽２４によるブレインとの熱交換によって約４０〜５０℃に維持させつつ、空調負荷２５へ冷温水を導いて、この空調負荷２５を暖房する。
【００３６】
一方、冷房運転のための蓄熱運転は、例えば前日の１６：００〜２１：４５まで冷房運転と共に実行される予備蓄熱と、例えば前日の２２：００〜当日の８：００まで実行される本蓄熱とがある。また、例えば前日の２１：４５〜２２：００までは蓄熱準備が実行される。
【００３７】
これらの予備蓄熱及び本蓄熱では、制御装置２３は、ブラインポンプ２６及びヒートポンプチラー２７を起動させ、冷温水ポンプ３１を停止させ、第１ブライン電動弁２８を開操作し、この冷温水を凝固して製氷する。
【００３８】
蓄熱槽２４内の冷温水は、予備蓄熱において約１０℃以下まで冷却される。蓄熱槽２４内の冷温水は、本蓄熱において凝固されて氷となり、この結果、蓄熱槽２４内の水位が目標水位Ｇ１（図３）まで上昇される。蓄熱槽２４内の冷温水の温度及び水位は、それぞれ水温センサ３３、水位センサ３４により検出される。上記目標水位Ｇ１は、冷温水の基準水位Ｇ０（後述）から例えば約３０ｍｍ上昇した水位である。
【００３９】
また、蓄熱準備では、制御装置２３は給水弁３５を制御して、蓄熱槽２４内の水位が基準水位Ｇ０（図３）になるまで蓄熱槽２４内に給水する。更に、制御装置２３は、外気温センサ３６にて検出された外気温と空調負荷２５との関係から製氷量（すなわち蓄熱量）を決定する。この製氷量の氷が、上記本蓄熱時に製氷される。
【００４０】
冷房運転は、例えば当日の８：００〜１６：００に実行される。この冷房運転時には、制御装置２３は、蓄熱槽２４内の氷の融解熱を冷温水を介して空調負荷２５へ導き、この空調負荷２５を冷房する解氷冷房運転と、ヒートポンプチラー２７にて冷却されたブラインと冷温水とをブライン・水熱交換器３０を用いて熱交換し、この冷温水により空調負荷２５を冷房する追掛チラー冷房運転とを交互に実行する。
【００４１】
上記解氷冷房運転は、ブラインポンプ２６及びヒートポンプチラー２７が停止され、第２ブライン電動弁２９が閉操作され、第１ブライン電動弁２８が開操作され、三方電動弁３２が開動作され、冷温水ポンプ３１が起動されることにより実行される。また、上記追掛チラー冷房運転は、ブラインポンプ２６及びヒートポンプチラー２７が起動され、第２ブライン電動弁２９が開操作され、第１ブライン電動弁２８が閉操作され、冷温水ポンプ３１が起動され、三方電動弁３２が閉動作されることにより実行される。
【００４２】
これらの解氷冷房運転及び追掛チラー冷房運転が交互に実行されることにより、蓄熱槽２４内の氷は、図４の解氷曲線Ａに沿って、冷房運転終了直前（例えば約１時間前）に全て解氷されるよう制御される。この制御により、空調負荷２５が冷房される。
【００４３】
さて、制御装置２３は、前日の一次系２１における暖房または冷房運転のための蓄熱運転時に、この蓄熱運転開始から所定時間経過後における蓄熱槽２４内の冷温水の温度が、所定温度に到達しているか否かにより当該蓄熱運転の適否を判定し、この蓄熱運転が適切でない場合、ヒートポンプチラー２７の運転条件が満たされているにも係わらず、この蓄熱運転時間帯に故障予測警報を出力する。
【００４４】
つまり、制御装置２３は、暖房運転のための蓄熱運転時には、この蓄熱運転時間帯にヒートポンプチラー２７の運転条件が満たされているにも係わらず、この蓄熱運転の開始時（例えば１６：００）から所定時間Ｔ１（図２）経過後における蓄熱槽２４内の冷温水の温度が、図２の破線に示すように、所定温度α（例えば約４３℃）以下である場合、この蓄熱運転が適切でないと判断して、この蓄熱運転時間帯に故障予測警報を出力する。ここで、上記所定温度αは、所定時間Ｔ１に応じて変化する。
【００４５】
また、制御装置２３は、冷房運転のための蓄熱運転時には、この蓄熱運転時間帯にヒートポンプチラー２７の運転条件が満たされているにも係わらず、この蓄熱運転の開始時（例えば１６：００）から所定時間Ｔ２（図３）経過後における蓄熱槽２４内の冷温水の温度が、図３の破線ａに示すように、所定温度β（例えば約７℃）以上である場合、この蓄熱運転が適切でないと判断して、この蓄熱運転時間帯に故障予測警報を出力する。ここで、所定温度βは、所定時間Ｔ２に応じて変化する。
【００４６】
ここで、上述の冷温水の温度は、水温センサ３３により検出される。この温度は、蓄熱運転の開始から所定時間Ｔ１、Ｔ２経過時を含む前後で、水温センサ３３により複数回検出された検出値の平均値であり、または、上記所定時間Ｔ１、Ｔ２経過時点において水温センサ３３により１回検出された検出値である。
【００４７】
また、上記ヒートポンプチラー２７の運転条件が満たされているとの判断は、次のようにしてなされる。つまり、制御装置２３からヒートポンプチラー２７へ出力された運転指令信号、制御装置２３からブラインポンプ２６へ出力された運転指令信号、ヒートポンプチラー２７から制御装置２３へ返信された熱源機インターロック信号としてのヒートポンプチラーインターロック信号、または、ブラインポンプ２６から制御装置２３へ返信されたポンプインターロック信号の少なくとも１つを制御装置２３が検出したときに、この制御装置２３はヒートポンプチラー２７の運転条件が満たされていると判断する。
【００４８】
制御装置２３は、上述の冷房運転のための蓄熱運転時には、更に、水位センサ３４により検出される蓄熱槽２４内の水位によっても故障予測警報を出力する。つまり、制御装置２３は、冷房運転のための蓄熱時間帯にヒートポンプチラー２７の運転条件が満たされているにも係わらず、蓄熱槽２４内の冷温水の温度が約０℃となってから所定時間Ｔ３（図３）経過後における冷温水の水位が、図３の破線ｂに示すように、規定水位Ｇ以下である場合、この蓄熱運転が適切でないと判断して、この蓄熱運転時間帯に故障予測警報を出力する。
【００４９】
上記規定水位Ｇは、蓄熱槽２４内で氷が製氷されていないときの基準水位Ｇ０よりも高く、前記目標水位Ｇ１よりも低いレベルの水位であり、所定時間Ｔ３に応じて変化する。また、蓄熱槽２４内の冷温水の水位は、この冷温水が約０℃になってから所定時間Ｔ３経過時を含む前後で、水位センサ３４により複数回検出された検出値の平均値であり、または、上記所定時間Ｔ３経過時点において水位センサ３４により１回検出された検出値である。
【００５０】
従って、上記実施の形態によれば、次の効果を奏する。
【００５１】
暖房運転または冷房運転のための一次系２１の蓄熱運転の開始から所定時間Ｔ１またはＴ２における蓄熱槽２４内の冷温水の温度が、それぞれ所定温度αまたは所定温度βに達しているか否かにより蓄熱運転の適否を判定し、この蓄熱運転が適切でない場合、蓄熱運転時間帯に故障予測警報を出力するよう構成されている。更に、冷房運転のための蓄熱運転にあっては、蓄熱槽２４内の冷温水が約０℃になってから所定時間Ｔ３経過後の蓄熱槽２４内の冷温水の水位が規定水位Ｇ以下であって、この蓄熱運転が適切でないと判断したときにも、蓄熱運転時間帯に故障予測警報を出力するよう構成されている。これらのことから、昼間に実施する蓄熱を利用した空気調和（暖房または冷房）の不具合、つまり昼間のピーク負荷に対応した空気調和が実施できないことを、前日の夜間からの蓄熱時間帯に、蓄熱槽２４への蓄熱状況を検討することにより予測できる。このため、空気調和の上記不具合に迅速に対応でき、この蓄熱時間帯に蓄熱式空気調和システム２０を修理することによって、昼間に実施する蓄熱を利用した空気調和の上記不具合の発生を未然に回避できる。
【００５２】
以上、本発明を上記実施の形態に基づいて説明したが、本発明はこれに限定されるものではない。
【００５３】
例えば、制御装置２３は、暖房運転のための蓄熱運転時には、この蓄熱運転時間帯にヒートポンプチラー２７の運転条件が満たされているにも係わらず、この蓄熱運転の開始時（例えば１６：００）から所定時間Ｔ１（図２）経過毎における蓄熱槽２４内の冷温水の温度が所定温度α（例えば約４３℃）以下である場合、この蓄熱運転が適切でないと判断して、この蓄熱運転時間帯に故障予測警報を出力してもよい。
【００５４】
また、制御装置２３は、冷房運転のための蓄熱運転時には、この蓄熱運転時間帯にヒートポンプチラー２７の運転条件が満たされているにも係わらず、この蓄熱運転の開始時（例えば１６：００）から所定時間Ｔ２（図３）経過毎における蓄熱槽２４内の冷温水の温度が所定温度β（例えば約７℃）以上である場合、この蓄熱運転が適切でないと判断して、この蓄熱運転時間帯に故障予測警報を出力してもよい。
【００５５】
更に、制御装置２３は、冷房運転のための蓄熱時間帯にヒートポンプチラー２７の運手条件が満たされているにも係わらず、蓄熱槽２４内の冷温水の温度が約０℃となってから所定時間Ｔ３（図３）経過毎における冷温水の水位が規定水位Ｇ以下である場合、この蓄熱運転が適切でないと判断して、この蓄熱運転時間帯に故障予測警報を出力してもよい。
【００５６】
このように、所定時間Ｔ１、Ｔ２、Ｔ３の経過毎に蓄熱槽２４内の冷温水の水温、水位を検討して、蓄熱運転の適否を判断することにより、この判断を高精度に実行できる。
【００５７】
【発明の効果】
本発明によれば、熱源機にて加熱または冷却された熱媒体を蓄熱槽または熱交換器へ循環して供給可能に設けられた一次系と、上記蓄熱槽、上記熱交換器にて加熱または冷却された冷温水を循環して空調負荷へ供給可能に設けられた二次系と、昼間に蓄熱を利用して実施される空気調和に必要な蓄熱量を確保すべく前日の夜間から上記一次系を蓄熱運転させる制御装置と、を有する蓄熱式空気調和システムにおいて、上記制御装置は、上記一次系の蓄熱運転の開始から所定時間経過後又は経過毎における上記蓄熱槽内の冷温水の温度が、所定温度に到達しているか否かにより蓄熱運転の適否を判定し、この蓄熱運転が適切でない場合、上記熱源機の運転条件が満たされているにも拘わらず、蓄熱運転時間帯に故障予測警報を出力するよう構成されたことから、昼間に蓄熱を利用して実施される空気調和の不具合を、前日の夜間から実施される蓄熱時間帯に予測して上記不具合に迅速に対応できる。
【００５８】
本発明によれば、熱源機にて加熱または冷却された熱媒体を蓄熱槽または熱交換器へ循環して供給可能に設けられた一次系と、上記蓄熱槽、上記熱交換器にて加熱または冷却された冷温水を循環して空調負荷へ供給可能に設けられた二次系とを有し、昼間に蓄熱を利用して実施される空気調和に必要な蓄熱量を確保すべく前日の夜間から上記一次系を蓄熱運転させる蓄熱式空気調和システムの運転方法において、上記一次系の蓄熱運転の開始から所定時間経過後又は経過毎における上記蓄熱槽内の冷温水の温度が、所定温度に到達しているか否かにより蓄熱運転の適否を判定し、この蓄熱運転が適切でない場合、上記熱源機の運転条件が満たされているにも拘わらず、蓄熱運転時間帯に故障予測警報を出力することから、昼間に蓄熱を利用して実施される空気調和の不具合を、前日の夜間から実施される蓄熱時間帯に予測して上記不具合に迅速に対応できる。
【図面の簡単な説明】
【図１】本発明に係る空気調和システムの一実施の形態における冷媒回路等を示す回路図である。
【図２】図１の制御装置が実施する暖房運転のための蓄熱運転の制御を示すグラフである。
【図３】図１の制御装置が実施する冷房運転のための蓄熱運転の制御を示すグラフである。
【図４】図１の制御装置が実施する冷房運転時の制御を示すグラフである。
【符号の説明】
２０  蓄熱式空気調和システム
２１  一次系
２２  二次系
２３  制御装置
２４  蓄熱槽
２５  空調負荷
２６  ブラインポンプ（循環ポンプ）
２７  ヒートポンプチラー（熱源機）
３０  ブライン・水熱交換器（熱交換器）
３１  冷温水ポンプ
３２  三方電動弁
３３  水温センサ
３４  水位センサ
Ｇ  規定水位
Ｔ１、Ｔ２、Ｔ３  所定時間
α、β  所定温度
【図１】
0004141084.tif 000002
【図２】
0004141084.tif 000003
【図３】
0004141084.tif 000004
【図４】
0004141084.tif 000005